【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
医療施設に設けられ、前記医療施設の遠隔地にあるサービス施設に設けられたサーバシステムとネットワークを介して接続された医用装置において、
被検体の撮影を行う機器本体部と、
操作者が前記機器本体部の操作を行うための操作部と、
前記操作者に対して提供する操作に関する情報の提供方法を所定の選択用データに基づいて選択するための第１の選択手段と、前記第１の選択手段で選択された情報の提供方法を表示する表示手段と、前記表示手段に表示された情報の提供方法の中から前記操作者が少なくとも１の提供方法を選択するための第２の選択手段と、前記第２の選択手段により選択された提供方法に関する情報を前記サーバシステムに送信し、前記サーバシステムから前記選択された提供方法に対応する指導データを受信する送受信手段と、を具備することを特徴とする医用装置。
【請求項２】
前記選択用データは、前記サーバシステムから書き換え可能であることを特徴とする請求項１記載の医用装置。
【請求項３】
前記選択用データは、前記医用装置の経過時間に関するデータを含むことを特徴とする請求項１記載の医用装置。
【請求項４】
前記選択用データは、前記医用装置で行った検査の回数に関するデータを含むことを特徴とする請求項１記載の医用装置。
【請求項５】
前記選択用データは、前記医用装置のモデルに関するデータを含むことを特徴とする請求項１記載の医用装置。
【請求項６】
前記選択用データは、前記医用装置を操作する操作者に関するデータを含むことを特徴とする請求項１記載の医用装置。
【請求項７】
前記操作者に関するデータは、前記操作者が属する科のデータを含むことを特徴とする請求項６記載の医用装置。
【請求項８】
前記操作者に関するデータは、前記操作者の就業年数に関するデータを含むことを特徴とする請求項６記載の医用装置。
【請求項９】
前記選択用データは、前記医用装置によって撮影された被検体の症例に関するデータを含むことを特徴とする請求項１記載の医用装置。
【請求項１０】
医療施設の遠隔地にあるサービス施設に設けられ、前記医療施設に設けられた医用装置とネットワークを介して接続されるサーバシステムにおいて、前記医療施設にある医用装置の操作者が選択した操作に関する情報の提供方法を判定する提供方法判定手段と、前記提供方法判定手段によって判定された提供方法に対応する指導データを前記医用装置に送信する送信手段と、を具備することを特徴とするサーバシステム。
【請求項１１】
医療施設に設けられた医用装置と、前記医療施設の遠隔地にあるサービス施設に設けられ、前記医用装置とネットワークを介して接続されたサーバシステムと、を備えた医用装置の操作指導システムにおいて、前記医用装置は、被検体の撮影を行う機器本体部と、操作者が前記機器本体部の操作を行うための操作部と、前記操作者に対して提供する操作に関する情報の提供方法を選択するための選択手段と、前記選択手段により選択された提供方法に関する情報を前記サーバシステムに送信し、前記サーバシステムから前記選択された提供方法に対応する指導データを受信する送受信手段と、を具備し、前記サーバシステムは、前記医療施設にある医用装置の操作者が選択した操作に関する情報の提供方法を判定する提供方法判定手段と、前記提供方法判定手段によって判定された提供方法に対応する前記指導データを前記医用装置に送信する送信手段と、を具備することを特徴とする医用装置の操作指導システム。
【請求項１２】
医療施設に在る医用装置の操作装置を操作する操作者に対して前記医療施設から離れたサービス施設から前記医用装置の操作に関するデータを通信手段を介して送るようにしたことを特徴とする医用装置の操作指導システム。
【請求項１３】
請求項１２に記載の医用装置の操作指導システムにおいて、前記医用装置に対して前記操作者が行った操作を前記サービス施設で前記通信手段を介してモニタするモニタ手段と、このモニタ手段によりモニタされた操作に関する前記情報を前記通信手段を介して前記操作装置に送るアドバイス送信手段とを備えた医用装置の操作指導システム。
【請求項１４】
請求項１３に記載のシステムは、前記医用装置のリモートメンテナンスシステムと一体に構築されている医用装置の操作指導システム。
【手続補正２】
【補正対象書類名】明細書
【補正対象項目名】０００５
【補正方法】変更
【補正の内容】
【０００５】
【課題を解決するための手段】
上記目的を達成するため請求項１に係る発明は、医療施設に設けられ、前記医療施設の遠隔地にあるサービス施設に設けられたサーバシステムとネットワークを介して接続された医用装置において、被検体の撮影を行う機器本体部と、操作者が前記機器本体部の操作を行うための操作部と、前記操作者に対して提供する操作に関する情報の提供方法を所定の選択用データに基づいて選択するための第１の選択手段と、前記第１の選択手段で選択された情報の提供方法を表示する表示手段と、前記表示手段に表示された情報の提供方法の中から前記操作者が少なくとも１の提供方法を選択するための第２の選択手段と、前記第２の選択手段により選択された提供方法に関する情報を前記サーバシステムに送信し、前記サーバシステムから前記選択された提供方法に対応する指導データを受信する送受信手段と、を具備することを特徴とする。
また請求項１０に係る発明は、医療施設の遠隔地にあるサービス施設に設けられ、前記医療施設に設けられた医用装置とネットワークを介して接続されるサーバシステムにおいて、前記医療施設にある医用装置の操作者が選択した操作に関する情報の提供方法を判定する提供方法判定手段と、前記提供方法判定手段によって判定された提供方法に対応する指導データを前記医用装置に送信する送信手段と、を具備することを特徴とする。
また請求項１１に係る発明は、医療施設に設けられた医用装置と、前記医療施設の遠隔地にあるサービス施設に設けられ、前記医用装置とネットワークを介して接続されたサーバシステムと、を備えた医用装置の操作指導システムにおいて、前記医用装置は、被検体の撮影を行う機器本体部と、操作者が前記機器本体部の操作を行うための操作部と、前記操作者に対して提供する操作に関する情報の提供方法を選択するための選択手段と、前記選択手段により選択された提供方法に関する情報を前記サーバシステムに送信し、前記サーバシステムから前記選択された提供方法に対応する指導データを受信する送受信手段と、を具備し、前記サーバシステムは、前記医療施設にある医用装置の操作者が選択した操作に関する情報の提供方法を判定する提供方法判定手段と、前記提供方法判定手段によって判定された提供方法に対応する前記指導データを前記医用装置に送信する送信手段と、を具備することを特徴とする。
また請求項１２に係る発明は、医療施設に在る医用装置の操作装置を操作する操作者に対して前記医療施設から離れたサービス施設から前記医用装置の操作に関するデータを通信手段を介して送るようにしたことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】